(57)【要約】【課題】  装置本体に着脱可能であって、保持している記録紙を分離するための分離手段を備える給紙トレイを提供する。【解決手段】  給紙装置本体１Ａと、給紙装置本体１Ａに着脱可能に装着され、記録紙を厚み方向に積層して保持する給紙トレイ７とを含む給紙装置１であって、給紙装置本体１Ａは、回転可能に設けられ、回転することによって給紙トレイ７に保持される記録紙を給紙トレイから取り出す給紙ローラ８を備え、給紙トレイ７は、予め定める給紙方向Ａ１下流側端部に、給紙トレイ７が給紙装置本体１Ａに装着されている状態で、給紙ローラ８に弾発的に当接可能に設けられ、給紙ローラ８の回転によって、給紙ローラ８に当接している１枚の記録紙だけが給紙方向Ａ１へ搬送されるように記録紙を分離する分離構成体９を備える【選択図】      図６
2005200122.tif 000002
【特許請求の範囲】
【請求項１】
装置本体と、前記装置本体に着脱可能に装着され、記録紙を厚み方向に積層して保持する給紙トレイとを含む給紙装置であって、
装置本体は、回転可能に設けられ、回転することによって給紙トレイに保持される記録紙を給紙トレイから取り出す給紙ローラを備え、
給紙トレイは、予め定める給紙方向下流側端部に、給紙トレイが装置本体に装着されている状態で、給紙ローラに弾発的に当接可能に設けられ、給紙ローラの回転によって、給紙ローラに当接している１枚の記録紙だけが給紙方向へ搬送されるように記録紙を分離する分離手段を備えることを特徴とする給紙装置。
【請求項２】
給紙トレイは、トレイ本体と、
前記トレイ本体と協働して記録紙が保持される保持空間を形成する蓋部材であって、前記保持空間を閉鎖する閉状態と、前記保持空間を開放する開状態とに切換可能な蓋部材と、
給紙トレイが装置本体に装着された状態で、前記蓋部材を開状態にすることによって、分離手段を給紙ローラから離間する方向に変位させる給紙圧解除手段とをさらに備えることを特徴とする請求項１記載の給紙装置。
【請求項３】
給紙トレイのトレイ本体および蓋部材は、分離手段に対して角変位可能であることを特徴とする請求項２記載の給紙装置。
【請求項４】
給紙トレイのトレイ本体および蓋部材は、分離手段に対して着脱可能であることを特徴とする請求項２または３記載の給紙装置。
【請求項５】
給紙トレイには、厚み方向一方向に突出する嵌合凸部が形成され、
装置本体は、給紙トレイが装着されるときに前記嵌合凸部を案内する第１案内凹部と、給紙トレイが装着されている状態で、前記嵌合凸部が嵌合可能な嵌合凹部を有する案内支持手段をさらに備え、
前記案内支持手段は、前記嵌合凸部が前記嵌合凹部に嵌合することで給紙トレイの給紙方向に垂直な幅方向への変位を規制して給紙トレイを支持することを特徴とする請求項１〜４のいずれかに記載の給紙装置。
【請求項６】
給紙トレイの装置本体に装着される給紙方向下流側端部は湾曲して形成され、前記給紙方向下流側端部の幅方向両端部には、幅方向外方に突出する案内突起片が形成され、
装置本体には、前記案内突起片が嵌合可能な第２案内凹部が形成され、
給紙トレイを装置本体に装着するときに、案内突起片を第１案内凹部に嵌合することによって前記給紙方向下流側端部が案内および位置決めされることを特徴とする請求項１〜５のいずれかに記載の給紙装置。
【請求項７】
給紙トレイの前記給紙方向下流側端部の幅方向両端部には、幅方向外方に突出および縮退可能な係止片が形成され、
装置本体には、給紙トレイが装着されている状態で、前記係止片を係止可能な係止孔が形成されることを特徴とする請求項６記載の給紙装置。
【発明の詳細な説明】
【技術分野】
【０００１】
本発明は、ファクシミリ装置および画像形成装置などに搭載される給紙装置に関する。
【背景技術】
【０００２】
ファクシミリ装置に搭載される給紙装置の典型的な従来技術が、特許文献１に記載されている。特許文献１の印刷装置の給紙カセットは、ファクシミリ装置の前方および後方に角変位可能に上キャビネットに設けられる。
【０００３】
【特許文献１】特開２０００−８５９８３号公報
【発明の開示】
【発明が解決しようとする課題】
【０００４】
このような従来技術の印刷装置を搭載するファクシミリ装置では、給紙カセットは角変位可能であるけれども、上キャビネットに容易に着脱不可能となっている。このように給紙カセットなどの給紙トレイは、ファクシミリ装置本体から大きく突出しており、ファクシミリ装置を運搬したりするときに、たとえば箱などに梱包することが困難であり不都合である。
【０００５】
また給紙トレイが装置本体に対して着脱可能なものもあるけれども、給紙トレイに保持される記録紙を給紙ローラと協働して分離する分離手段が常に給紙ローラに当接または近接しているので、給紙ローラを清掃することが困難である。
【０００６】
本発明の目的は、装置本体に着脱可能であって、保持している記録紙を分離するための分離手段を備える給紙トレイを提供することである。
【課題を解決するための手段】
【０００７】
本発明は、装置本体と、前記装置本体に着脱可能に装着され、記録紙を厚み方向に積層して保持する給紙トレイとを含む給紙装置であって、
装置本体は、回転可能に設けられ、回転することによって給紙トレイに保持される記録紙を給紙トレイから取り出す給紙ローラを備え、
給紙トレイは、予め定める給紙方向下流側端部に、給紙トレイが装置本体に装着されている状態で、給紙ローラに弾発的に当接可能に設けられ、給紙ローラの回転によって、給紙ローラに当接している１枚の記録紙だけが給紙方向へ搬送されるように記録紙を分離する分離手段を備えることを特徴とする給紙装置である。
【０００８】
また本発明は、給紙トレイは、トレイ本体と、
前記トレイ本体と協働して記録紙が保持される保持空間を形成する蓋部材であって、前記保持空間を閉鎖する閉状態と、前記保持空間を開放する開状態とに切換可能な蓋部材と、
給紙トレイが装置本体に装着された状態で、前記蓋部材を開状態にすることによって、分離手段を給紙ローラから離間する方向に変位させる給紙圧解除手段とをさらに備えることを特徴とする。
【０００９】
また本発明は、給紙トレイのトレイ本体および蓋部材は、分離手段に対して角変位可能であることを特徴とする。
【００１０】
また本発明は、給紙トレイのトレイ本体および蓋部材は、分離手段に対して着脱可能であることを特徴とする。
【００１１】
また本発明は、給紙トレイには、厚み方向一方向に突出する嵌合凸部が形成され、
装置本体は、給紙トレイが装着されるときに前記嵌合凸部を案内する第１案内凹部と、給紙トレイが装着されている状態で、前記嵌合凸部が嵌合可能な嵌合凹部を有する案内支持手段をさらに備え、
前記案内支持手段は、前記嵌合凸部が前記嵌合凹部に嵌合することで給紙トレイの給紙方向に垂直な幅方向への変位を規制して給紙トレイを支持することを特徴とする。
【００１２】
また本発明は、給紙トレイの装置本体に装着される給紙方向下流側端部は湾曲して形成され、前記給紙方向下流側端部の幅方向両端部には、幅方向外方に突出する案内突起片が形成され、
装置本体には、前記案内突起片が嵌合可能な第２案内凹部が形成され、
給紙トレイを装置本体に装着するときに、案内突起片を第２案内凹部に嵌合することによって前記給紙方向下流側端部が案内および位置決めされることを特徴とする。
【００１３】
また本発明は、給紙トレイの前記給紙方向下流側端部の幅方向両端部には、幅方向外方に突出および縮退可能な係止片が形成され、
装置本体には、給紙トレイが装着されている状態で、前記係止片を係止可能な係止孔が形成されることを特徴とする。
【発明の効果】
【００１４】
本発明によれば、給紙装置は、装置本体と、前記装置本体に着脱可能に装着され、記録紙を厚み方向に積層して保持する給紙トレイとを含む。装置本体は、回転可能に設けられ、回転することによって給紙トレイに保持される記録紙を給紙トレイから取り出す給紙ローラを備える。給紙トレイは、予め定める給紙方向下流側端部に、給紙トレイが装置本体に装着されている状態で、給紙ローラに弾発的に当接可能に設けられ、給紙ローラの回転によって、給紙ローラに当接している１枚の記録紙だけが給紙方向へ搬送されるように記録紙を分離する分離手段を備える。従来の給紙装置では、装置本体に給紙ローラおよび分離手段が備えられており、分離手段は常に給紙ローラに当接または近接しているので、メンテナンス時に給紙ローラの清掃を行うことが困難である。本発明では、装置本体から給紙トレイを離脱させると、給紙トレイとともに分離手段が給紙ローラから離間するので、メンテナンス時に給紙ローラの清掃を容易に行うことができる。また装置本体から給紙トレイが離脱可能であるので、給紙装置を移動させるときに、予め装置本体から給紙トレイを分離しておいてから装置本体および給紙トレイを個別に箱などに梱包して搬送することができるなど、利便性が向上する。
【００１５】
また本発明によれば、給紙トレイは、トレイ本体と、前記トレイ本体と協働して記録紙が保持される保持空間を形成する蓋部材であって、前記保持空間を閉鎖する閉状態と、前記保持空間を開放する開状態とに切換可能な蓋部材と、給紙トレイが装置本体に装着された状態で、前記蓋部材を開状態にすることによって、分離手段を給紙ローラから離間する方向に変位させる給紙圧解除手段とをさらに備える。給紙トレイの蓋部材を開状態にすると、給紙圧解除手段によって分離手段が給紙ローラから離間するので、この状態で保持空間に記録紙を保持させると、記録紙の一部が給紙ローラと分離手段との間に挿入することができる。この状態から蓋部材を閉状態にすると給紙ローラと分離手段との間の記録紙が、分離手段によって給紙ローラに弾発的に当接することができる。このように給紙トレイへの記録紙の充填の操作を、蓋部材の操作だけによって容易に行うことができる。
【００１６】
また本発明によれば、給紙トレイのトレイ本体および蓋部材は、分離手段に対して角変位可能である。これによって給紙トレイに保持されている記録紙を給紙ローラに弾発的に当接している状態で、給紙トレイのトレイ本体および蓋部材を分離手段に対して角変位可能であるので、給紙装置を載置する環境に応じて、トレイ本体および蓋部材を角変位させて給紙装置の配置スペースを確保することができる。
【００１７】
また本発明によれば、給紙トレイのトレイ本体および蓋部材は、分離手段に対して着脱可能である。これによって記録紙のサイズの変更をする場合、その記録紙のサイズに適応したトレイ本体および蓋部材に変更することができる。
【００１８】
また本発明によれば、給紙トレイには、厚み方向一方向に突出する嵌合凸部が形成され、装置本体は、給紙トレイが装着されるときに前記嵌合凸部を案内する第１案内凹部と、給紙トレイが装着されている状態で、前記嵌合凸部が嵌合可能な嵌合凹部とを有する案内支持手段をさらに備え、前記案内支持手段は、前記嵌合凸部が前記嵌合凹部に嵌合することで給紙トレイの給紙方向に垂直な幅方向への変位を規制して給紙トレイを支持する。これによって給紙トレイを装置本体に装着するときは、給紙トレイの嵌合凸部を装置本体の第１案内凹部によって案内して、前記嵌合凸部を嵌合凹部に嵌合させることによって、容易に給紙トレイを装置本体に装着することができる。さらに案内支持手段は、前記嵌合凸部が前記嵌合凹部に嵌合することで給紙トレイの給紙方向に垂直な幅方向への変位を規制して給紙トレイを支持するので、給紙トレイに保持される記録紙が給紙ローラによって搬送されても、記録紙の幅方向の変位も規制されるので、安定して記録紙を搬送することができる。
【００１９】
また本発明によれば、給紙トレイの装置本体に装着される給紙方向下流側端部は湾曲して形成される。これによって給紙トレイが装置本体に装着されている状態で、給紙トレイを装置本体から離脱するときは、給紙トレイの給紙方向下流側端部の湾曲した形状に沿って給紙トレイを引き抜かないと離脱させることができないので、不用意に給紙トレイを装置本体から離脱させることができない。また前記給紙方向下流側端部の幅方向両端部には、幅方向外方に突出する案内突起片が形成される。装置本体には、前記案内突起片が嵌合可能な第２案内凹部が形成される。給紙トレイを装置本体に装着するときに、案内突起片を第２案内凹部に嵌合することによって前記給紙方向下流側端部が案内および位置決めされる。これによって給紙トレイを装置本体に装着するとき、極めて容易に装着と位置決めを行うことができる。
【００２０】
また本発明によれば、給紙トレイの前記給紙方向下流側端部の幅方向両端部には、幅方向外方に突出および縮退可能な係止片が形成され、装置本体には、給紙トレイが装着されている状態で、前記係止片を係止可能な係止孔が形成される。給紙トレイを装置本体に装着するときに、装置本体の係止孔に給紙トレイの係止片を係止させることによって、装置本体に対する給紙トレイの装着状態が不用意に解除されることを防止することができる。
【発明を実施するための最良の形態】
【００２１】
図１は、本発明の実施の一形態の給紙装置１を搭載するファクシミリ装置２を示す側方断面図である。ファクシミリ装置２の装置本体３は、給紙装置１と、たとえばインクリボン４のインクを記録紙に熱転写する熱転写方式の画像形成部５と、原稿に形成されている画像を読取るラインセンサを有する原稿読取部６とを備える。給紙装置１は、画像形成部５よりも搬送方向Ａ上流側に配置される。また給紙装置１は、給紙装置本体１Ａに着脱可能に装着され、記録紙を厚み方向に積層して保持する給紙トレイ７を含む。給紙装置本体１Ａは、回転可能に設けられ、回転することによって給紙トレイ７に保持される記録紙を給紙トレイ７から取り出す給紙ローラ８を備える。給紙ローラ８は、給紙される記録紙の幅方向中央部だけに当接する。
【００２２】
図２は、給紙トレイ７を示す正面図である。図３は、給紙トレイ７を示す背面図である。図４は、給紙トレイ７を示す側面図である。給紙トレイ７は、予め定める給紙方向Ａ１下流側端部に、給紙トレイ７が給紙装置本体１Ａに装着されている状態で、給紙ローラ８に弾発的に当接可能に設けられ、給紙ローラ８の回転によって、給紙ローラに当接している１枚の記録紙だけが給紙方向Ａ１へ搬送されるように記録紙を分離する分離手段である分離構成体９を備える。給紙トレイ７は、トレイ本体１０と、前記トレイ本体１０と協働して記録紙が保持される保持空間を形成する蓋部材１１であって、前記保持空間を閉鎖する閉状態Ｑ１と、前記保持空間を開放する開状態Ｑ２とに切換可能な蓋部材１１とを備える。給紙トレイ７においてトレイ本体１０は厚み方向一方側に、蓋部材１１は厚み方向他方側に配置される。また給紙トレイ７は、給紙トレイ７が給紙装置本体１Ａに装着された状態で、前記蓋部材１１を開状態Ｑ２にすることによって、分離構成体９を給紙ローラ８から離間する方向に変位させる給紙圧解除手段である給紙圧解除部１２をさらに備える。給紙トレイ７のトレイ本体１０および蓋部材１１は、分離構成体９に対して角変位可能である。給紙トレイ７のトレイ本体１０および蓋部材１１は、分離構成体９に対して着脱可能である。トレイ本体１０の給紙方向Ａ１下流側端部が、幅方向に延びる角変位軸線Ｌ１０まわりに角変位可能に分離構成体９に連結される。蓋部材１１の給紙方向Ａ１下流側端部９が、幅方向に延びる角変位軸線Ｌ１１まわりに角変位可能に分離構成体９に連結される。
【００２３】
図５は、分離構成体９を示す正面図である。図６は、分離構成体９の一部を切り欠いて示す側面図である。分離構成体９は、トレイ本体１０の給紙方向Ａ１下流側に隣接して設けられる第１分離部１３と、前記第１分離部１３の給紙方向Ａ１下流側に隣接して設けられる第２分離部１４とを有する。第１分離部１３は、給紙装置本体１Ａの給紙ローラ８に当接および離間可能に、トレイ本体７の幅方向に沿って延びる角変位軸線Ｌ１３まわりに角変位可能であり、第１ばね部材１５によって給紙ローラ８に近接する方向にばね力が付勢されている。第１分離部１３の給紙ローラ８に当接する部分には、第１分離用コルク板１６が設けられる。第２分離部１４は、給紙装置本体１Ａの給紙ローラ８に当接および離間可能に、トレイ本体７の幅方向に沿って延びる角変位軸線Ｌ１４まわりに角変位可能であり、第２ばね部材１７によって給紙ローラ８に近接する方向にばね力が付勢されている。第２分離部１４の幅方向の寸法は、給紙ローラ８の回転軸線方向の寸法と大略的に同様である。第２分離部１４の給紙ローラ８に当接する部分には、第２分離用コルク板１８が設けられる。
【００２４】
第１ばね部材１５および第２ばね部材１７は、たとえば圧縮コイルばねで実現されてもよい。また第２ばね部材１７による第２分離部１４の給紙ローラ８への押圧力は、第１ばね部材１５による第１分離部１３の給紙ローラ８への押圧力よりも高く設定される。これによって第１分離部１３と給紙ローラ８とによって挟持される複数の記録紙は、第１分離部１３と給紙ローラ８とによる圧力よりも高い第２分離部と給紙ローラ８とによって、可及的確実に１枚の記録紙だけが挟持されて、給紙ローラ８よりも給紙方向Ａ１下流側にある画像形成部５に給紙される。
【００２５】
第１分離用コルク板１６および第２分離用コルク板１８は、コルク製でなくてもよく、たとえばシリコンゴム製であってもよい。給紙ローラ８と記録紙との間の静止摩擦係数は、各分離用コルク板１６，１８と記録紙との間の動摩擦係数よりも充分に大きく設定される。第１分離部１３の第１分離用コルク板１６の給紙方向Ａ１上流側には、第１分離用コルク板１６よりもわずかに大きく突出する突起部２６が形成される。突起部２６は、第１分離用コルク板１６に近づくにつれて第１分離用コルク１６が突出する方向に滑らかに傾斜している。これによって給紙ローラ８と第１分離用コルク１６との間に進もうとする記録紙を滑らかに案内することができる。
【００２６】
給紙圧解除部１２は、詳細に述べると、蓋部材１１の給紙方向Ａ１下流側端部に配置され幅方向に延びる角変位中心Ｌ１１近傍の幅方向両端部に設けられる一対の解除片１２Ａを有する。解除片１２Ａの遊端部の外表面は、給紙トレイ７の幅方向に延びる軸線を有する略円筒面状に形成される。蓋部材１１が閉状態Ｑ１から開状態Ｑ２になるように角変位すると、解除片１２Ａが第１分離部１３を、第１分離部１３に付勢される第１ばね部材１５からのばね力に抗して、給紙ローラ８から離間する方向に押圧する。これによって第１分離部１３が給紙ローラ８に当接する当接位置Ｒ１から、給紙ローラ８から離間する離間位置Ｒ２に角変位する。このように蓋部材１１を開状態Ｑ２にすることで、第１分離部１３が給紙ローラ８から離間するので、第１分離部１３と給紙ローラ８との間に記録紙を挿入可能となり、記録紙を第１分離部１３と給紙ローラ８との間に記録紙を挿入した状態で蓋部材１１を閉状態Ｑ１にすることによって、第１分離部１３が給紙ローラ８に近接して、記録紙を第１分離部１３と給紙ローラ８とによって挟持することができる。
【００２７】
給紙トレイ７、詳細には、分離構成体９の厚み方向一方側（各分離用コルク板の裏側）の幅方向中央部には、厚み方向一方向に突出する嵌合凸部１９が形成される。嵌合凸部１９は、厚み方向に垂直な断面形状が円形の略円錐台状の円錐台部１９Ａと、円錐台部１９Ａの、給紙トレイ７の幅方向両側から給紙方向Ａ１下流向きに互いに平行に延びる一対の平板状の案内部１９Ｂとを有する。前記案内部１９Ｂの幅方向の間隔は、円錐台部１９Ａの最大外径よりも小さく設定される。
【００２８】
図７は、給紙装置本体１Ａを示す平面図である。給紙装置本体１Ａは、給紙トレイ７が装着されるときに前記嵌合凸部１９を案内する第１案内凹部２０と、給紙トレイ７が装着されている状態で、前記案内部１９Ｂが嵌合可能な嵌合凹部２１を有する案内支持手段をさらに備える。このような案内支持手段は、前記案内部１９Ｂが前記嵌合凹部２１に嵌合することで給紙トレイ７の給紙方向Ａ１に垂直な幅方向への変位を規制して給紙トレイ７を支持する。
【００２９】
図８は、給紙トレイ７の給紙方向Ａ１下流側端部の幅方向一方側を拡大して示す正面図である。図９は、給紙トレイ７の給紙方向Ａ１下流側端部の幅方向一方側を拡大して示す側面図である。図１０は、給紙トレイ７が給紙装置本体１Ａに装着されている状態を拡大して示す側面図である。給紙トレイ７の給紙装置本体１Ａに装着される給紙方向Ａ１下流側端部は図９に示すように厚み方向他方側に向かって湾曲して形成され、前記給紙方向Ａ１下流側端部の幅方向両端部には、幅方向外方に突出する案内突起片２２が形成される。案内突起片２２は、図９に示すように、幅方向から見て略三角形状に形成され、一頂点が給紙方向Ａ１下流側に向かうように配置される。給紙装置本体１Ａには、前記案内突起片２２が嵌合可能な第２案内凹部２３が形成され、第２案内凹部２３は、給紙方向Ａ１上流側が開放している。給紙トレイ７を給紙装置本体１Ａに装着するときに、案内突起片２２を第２案内凹部２３に嵌合することによって前記給紙方向Ａ１下流側端部が案内および位置決めされる。
【００３０】
給紙トレイ７を給紙装置本体１Ａに装着するとき、まず給紙トレイ７の嵌合凸部１９の案内部１９Ｂを給紙装置本体１Ａの嵌合凹部２１によって案内させる。これによって給紙トレイ７の幅方向の位置決めがなされる。このとき給紙トレイ７の案内突起片２２が給紙装置本体１Ａの第２案内凹部２３に当接する。このように給紙トレイ７が幅方向に位置決めされた状態で、続いて給紙トレイ７を給紙方向Ａ１下流向きに変位させるとともに、図１０の矢符Ｂに示すように、大略的に給紙ローラ８の回転軸線Ｌ８まわりに角変位させる。このとき給紙トレイ７の案内突起片２２は、給紙装置本体１Ａの第２案内凹部２３によって案内された後、第２案内凹部２３に嵌合するとともに、給紙トレイ７の嵌合凸部１９の円錐台部１９が給紙装置本体１Ａの嵌合凹部２１に嵌合する。このように給紙トレイ７の給紙方向Ａ１下流側端部を大略的に給紙ローラ８の回転軸線まわりに角変位させることによって、給紙トレイ７の分離構成体９の第１および第２分離用コルク板１６，１８が滑らかに給紙ローラ８に当接するので、第１および第２分離用コルク板１６，１８を破損する危険性を回避することができる。また給紙トレイ７を大略的に給紙ローラ８の回転軸線まわりに角変位させるようにして給紙トレイ７を給紙装置本体１Ａに装着するので、給紙トレイ７が給紙装置本体１Ａに装着されている状態で給紙トレイ７を給紙方向Ａ１上流側に変位させても、容易に装着状態を解除することができないので、不所望に装着状態が解除されることを防止することができる。
【００３１】
給紙トレイ７の給紙方向Ａ１下流側端部の幅方向両端部には、幅方向外方に突出および縮退可能な係止片２４が形成される。給紙装置本体１Ａには、給紙トレイ７が装着されている状態で、前記係止片２４を係止可能な係止孔２５が形成される。このように給紙装置本体１Ａに給紙トレイ７が装着されている状態で給紙トレイ７の係止片２４が給紙装置本体１Ａの係止孔２５に係止されるので、この係止状態を解除しないと、給紙トレイ７の給紙装置本体１Ａに対する装着状態を解除することができない。
【００３２】
再び図１を参照して、給紙トレイ７に保持される複数枚の記録紙は、その給紙方向Ａ１下流側端部が給紙ローラ８と第１分離部１３とによって挟持される。この状態で給紙ローラ８が予め定める回転方向に回転すると、前記記録紙のうち給紙ローラ８近傍の記録紙が給紙方向Ａ１に送られて、給紙ローラ８と第２分離部１４との間に給紙される。第２分離部１４は第１分離部１３よりも強いばね力で給紙ローラ８側に押圧されているので、この状態で給紙ローラ８が前記回転方向に回転することによって、給紙ローラ８に当接している１枚の記録紙だけが、第２分離部１４よりも給紙方向Ａ１下流側に給紙され、残余の記録紙から分離される。このように分離された１枚の記録紙は、矢符Ｃ１に示すように画像形成部５に給紙されて、画像形成部５によってインクリボン４の表面に塗布されるインクが転写されて画像が形成された後に、反転して、排紙ローラ２７によって矢符Ｃ２に示すように、ファクシミリ装置２の外部に排出される。
【００３３】
以上のように本実施の形態の給紙装置１によれば、給紙装置１は、給紙装置本体１Ａと、給紙装置本体１Ａに着脱可能に装着され、記録紙を厚み方向に積層して保持する給紙トレイ７とを含む。給紙装置本体１Ａは、回転可能に設けられ、回転することによって給紙トレイ７に保持される記録紙を給紙トレイから取り出す給紙ローラ８を備える。給紙トレイ７は、予め定める給紙方向Ａ１下流側端部に、給紙トレイ７が給紙装置本体１Ａに装着されている状態で、給紙ローラ８に弾発的に当接可能に設けられ、給紙ローラ８の回転によって、給紙ローラ８に当接している１枚の記録紙だけが給紙方向Ａ１へ搬送されるように記録紙を分離する分離構成体９を備える。従来の給紙装置では、装置本体に給紙ローラおよび前記分離構成体９の役割を担う分離手段が備えられており、前記分離手段は常に給紙ローラに当接または近接しているので、メンテナンス時に給紙ローラの清掃を行うことが困難である。本実施の形態では、給紙装置本体１Ａから給紙トレイ７を離脱させると、給紙トレイ７とともに分離構成体９が給紙ローラ８から離間するので、メンテナンス時に給紙ローラ８の清掃を容易に行うことができる。また給紙装置本体１Ａから給紙トレイ８が離脱可能であるので、ファクシミリ装置２を移動させるときに、予め給紙装置本体１Ａから給紙トレイ８を分離しておいてからファクシミリ装置２および給紙トレイ８を個別に箱などに梱包して搬送することができるなど、利便性が向上する。また万一、給紙ローラ８と分離構成体９との間で紙詰まりが生じても、給紙トレイ７を給紙装置本体１Ａから離脱させるだけで、詰まった記録紙を容易に取除くことができる。
【００３４】
また本実施の形態の給紙装置１によれば、給紙トレイ７は、トレイ本体１０と、前記トレイ本体１０と協働して記録紙が保持される保持空間を形成する蓋部材１１であって、前記保持空間を閉鎖する閉状態Ｑ１と、前記保持空間を開放する開状態Ｑ２とに切換可能な蓋部材１１と、給紙トレイ７が給紙装置本体１Ａに装着された状態で、前記蓋部材１１を開状態Ｑ２にすることによって、分離構成体９の第１分離部１３を給紙ローラ８から離間する方向に変位させる給紙圧解除部１２とをさらに備える。給紙トレイ７の蓋部材１１を開状態Ｑ２にすると、給紙圧解除部１２によって第１分離部１３が給紙ローラ８から離間するので、この状態で保持空間に記録紙を保持させると、記録紙の給紙方向Ａ１下流側端部が給紙ローラ８と第１分離部１３との間に挿入することができる。この状態から蓋部材１１を閉状態Ｑ１にすると給紙ローラ８と第１分離部１３との間の記録紙が、第１分離部１３によって給紙ローラ８に弾発的に当接することができる。このように給紙トレイ８への記録紙の充填の操作を、蓋部材１１の操作だけによって容易に行うことができる。また蓋部材１１の開状態Ｑ２は、図１に示すように、ファクシミリ装置２の前方に傾斜するような位置に配置されるので、蓋部材１１を開閉するときに、ファクシミリ装置２の後方に蓋部材１１などが配置されることがないので、ファクシミリ装置２の設置場所を可及的に狭くすることができる。
【００３５】
また本実施の形態の給紙装置１によれば、給紙トレイ７のトレイ本体１０および蓋部材１１は、分離構成体９に対して角変位可能である。これによって給紙トレイ７に保持されている記録紙を給紙ローラ８に弾発的に当接している状態で、給紙トレイ７のトレイ本体１０および蓋部材１１を分離構成体９に対して角変位可能であるので、ファクシミリ装置２を載置する環境に応じて、トレイ本体１０および蓋部材１１を角変位させてファクシミリ装置２の配置スペースを確保することができる。
【００３６】
また本実施の形態の給紙装置１によれば、給紙トレイ７のトレイ本体１０および蓋部材１１は、分離構成体９に対して着脱可能である。これによって記録紙のサイズの変更をする場合、その記録紙のサイズに適応したトレイ本体１０および蓋部材１１に変更することができる。
【００３７】
また本実施の形態の給紙装置１によれば、給紙トレイ７には、厚み方向一方向に突出する嵌合凸部１９が形成され、給紙装置本体１Ａは、給紙トレイ７が装着されるときに前記嵌合凸部１９を案内する第１案内凹部２０と、給紙トレイ７が装着されている状態で、前記嵌合凸部１９が嵌合可能な嵌合凹部２１とを有する案内支持手段をさらに備え、このような案内支持手段は、前記嵌合凸部１９が前記嵌合凹部２１に嵌合することで給紙トレイ７の給紙方向Ａ１に垂直な幅方向への変位を規制して給紙トレイ７を支持する。これによって給紙トレイ７を給紙装置本体１Ａに装着するときは、給紙トレイ７の嵌合凸部１９を給紙装置本体１Ａの第１案内凹部２０によって案内して、前記嵌合凸部１９を嵌合凹部２１に嵌合させることによって、容易に給紙トレイ７を給紙装置本体１Ａに装着することができる。さらに案内支持手段は、前記嵌合凸部１９が前記嵌合凹部２１に嵌合することで給紙トレイ７の給紙方向Ａ１に垂直な幅方向への変位を規制して給紙トレイ７を支持するので、給紙トレイ７に保持される記録紙が給紙ローラ８によって搬送されても、記録紙の幅方向の変位も規制されるので、安定して記録紙を搬送することができる。
【００３８】
また本実施の形態の給紙装置１によれば、給紙トレイ７の給紙装置本体１Ａに装着される給紙方向Ａ１下流側端部は湾曲して形成される。これによって給紙トレイ７が給紙装置本体１Ａに装着されている状態で、給紙トレイ７を給紙装置本体１Ａから離脱するときは、給紙トレイ７の給紙方向Ａ１下流側端部の湾曲した形状に沿って給紙トレイ７を引き抜かないと離脱させることができないので、不用意に給紙トレイ７を給紙装置本体１Ａから離脱させることができない。また前記給紙方向Ａ１下流側端部の幅方向両端部には、幅方向外方に突出する案内突起片２２が形成される。給紙装置本体１Ａには、前記案内突起片２２が嵌合可能な第２案内凹部２３が形成される。給紙トレイ７を給紙装置本体１Ａに装着するときに、案内突起片２２を第２案内凹部２３に嵌合することによって前記給紙方向下流側端部が案内および位置決めされる。これによって給紙トレイ７を給紙装置本体１Ａに装着するとき、極めて容易に装着と位置決めを行うことができる。
【００３９】
また本実施の形態の給紙装置１によれば、給紙トレイ７の前記給紙方向Ａ１下流側端部の幅方向両端部には、幅方向外方に突出および縮退可能な係止片２４が形成され、給紙装置本体１Ａには、給紙トレイ７が装着されている状態で、前記係止片２４を係止可能な係止孔２５が形成される。給紙トレイ７を給紙装置本体１Ａに装着するときに、給紙装置本体１Ａの係止孔２５に給紙トレイ７の係止片２４を係止させることによって、給紙装置本体１Ａに対する給紙トレイ７の装着状態が不用意に解除されることを防止することができる。
【図面の簡単な説明】
【００４０】
【図１】本発明の実施の一形態の給紙装置１を搭載するファクシミリ装置２を示す側方断面図である。
【図２】給紙トレイ７を示す正面図である。
【図３】給紙トレイ７を示す背面図である。
【図４】給紙トレイ７を示す側面図である。
【図５】分離構成体９を示す正面図である。
【図６】分離構成体９の一部を切り欠いて示す側面図である。
【図７】給紙装置本体１Ａを示す平面図である。
【図８】給紙トレイ７の給紙方向Ａ１下流側端部の幅方向一方側を拡大して示す正面図である。
【図９】給紙トレイ７の給紙方向Ａ１下流側端部の幅方向一方側を拡大して示す側面図である。
【図１０】給紙トレイ７が給紙装置本体１Ａに装着されている状態を拡大して示す側面図である。
【符号の説明】
【００４１】
１  給紙装置
１Ａ  給紙装置本体
７  給紙トレイ
８  給紙ローラ
９  分離構成体
１０  トレイ本体
１１  蓋部材
１２  給紙圧解除部
１９  嵌合凸部
２０  第１案内凹部
２１  嵌合凹部
２３  第２案内凹部
２４  係止片
２５  係止孔
【図１】
2005200122.tif 000003
【図２】
2005200122.tif 000004
【図３】
2005200122.tif 000005
【図４】
2005200122.tif 000006
【図５】
2005200122.tif 000007
【図６】
2005200122.tif 000008
【図７】
2005200122.tif 000009
【図８】
2005200122.tif 000010
【図９】
2005200122.tif 000011
【図１０】
2005200122.tif 000012